(57)【要約】【課題】低コストで小型、高信頼性が達成できる電力変換器の電力配線装置を提供する。【解決手段】少なくとも一対の金属板１１、１２と、電流を制御するスイッチング素子１０と、を備え、一対の金属板１１、１２はスイッチング素子１０を介して接続され、かつ、一対の金属板１１、１２間の距離がスイッチング素子１０近傍で異なる（短くなる）ように配置して、その部分の一対の金属板でコンデンサを構成するようにした電力配線装置を提供する。一対の金属板の距離をスイッチング素子近傍のみ短くなるようにしているので、部品の追加なく、かつ簡単な構成で、効率よくスイッチング素子近傍にコンデンサ機能を配置することができ、スイッチングによる雑音やＥＭＩ（電磁干渉）を発生位置近傍で確実に低減できる。さらには、スイッチング素子近傍にのみコンデンサ機能を集中させているので、スイッチング素子近傍以外の金属板の設計自由度が向上する。【選択図】図１
2009077470.tif 000002
【特許請求の範囲】
【請求項１】
互いに所定の距離だけ離間して配置された少なくとも一対の金属板と、電流を制御するスイッチング素子と、を備え、
前記一対の金属板は前記スイッチング素子を介して接続され、
前記スイッチング素子近傍に位置する前記一対の金属板の一部がコンデンサとして機能することを特徴とする電力配線装置。
【請求項２】
前記一対の金属板間の距離が前記スイッチング素子近傍のみ短いことを特徴とする請求項１記載の電力配線装置。
【請求項３】
前記少なくとも一対の金属板は、少なくとも一つの屈曲部を有し、前記屈曲部は、前記スイッチング素子近傍に配置されていることを特徴とする請求項１記載の電力配線装置。
【請求項４】
互いに所定の距離だけ離間して配置された少なくとも一対の金属板と、電流を制御するスイッチング素子と、を備え、
前記一対の金属板は前記スイッチング素子を介して接続され、
前記少なくとも一対の金属板は、前記スイッチング素子近傍以外は、互いに対向する位置に重ならないように複数の穴を備えていることを特徴とする電力配線装置。
【請求項５】
前記少なくとも一対の金属板は、前記スイッチング素子近傍のみ、対向する面に複数の突起が形成されていることを特徴とする請求項１記載の電力配線装置。
【請求項６】
前記少なくとも一対の金属板は、前記スイッチング素子近傍のみ、対向する面積が広くなっていることを特徴とする請求項１記載の電力配線装置。
【請求項７】
前記少なくとも一対の金属板間に少なくとも一つの誘電体が挟持されていることを特徴とする請求項１記載の電力配線装置。
【請求項８】
前記少なくとも一対の金属板は、絶縁材料でコーティングされていることを特徴とする請求項１〜６のいずれかに記載の電力配線装置。
【請求項９】
前記少なくとも一対の金属板の間に、前記スイッチング素子が配置され、かつ前記一対の金属板に直接接合されていることを特徴とする請求項１記載の電力配線装置。
【請求項１０】
前記少なくとも一対の金属板と、前記少なくとも１つのスイッチング素子は、モジュール化されていることを特徴とする請求項１〜８のいずれかに記載の電力配線装置。
【発明の詳細な説明】
【技術分野】
【０００１】
本発明は、スイッチング動作するスイッチング素子（ＩＧＢＴもしくは、ＭＯＳＦＥＴなど）が組み込まれた電力変換器における、電力の入出力を行うための電力入出力装置に関する。
【背景技術】
【０００２】
絶縁ゲートバイポーラトランジスタ（ＩＧＢＴ）のような電圧駆動型半導体素子による半導体電力変換器は広く用いられている。この半導体電力変換器は、内部に組込まれたスイッチング素子を所定のスイッチング周波数でオン・オフさせることにより、直流電力を交流電力に変換する機能を有している。
【０００３】
この半導体電力変換器の出力電圧は、直流電圧をスイッチングした電圧波形を有するので、スイッチング周波数に対応した周波数成分を含んでいる。この周波数成分はこの電力変換器の負荷としてのモータなどにストレスを与えるため、電力変換器ではフィルタ回路を用いてこの周波数成分を取り除いている。
【０００４】
また、スイッチングによる雑音やＥＭＩ（電磁干渉）を抑制するために、周辺回路であるスナバ回路をスイッチング素子に接続することにより、スイッチングにて生じる雑音やＥＭＩ（電磁干渉）の低減は可能である。
【０００５】
しかし、前述したフィルタ回路の体積は一般的に大きく、これに伴い、フィルタ回路を設けた電力変換器も大型になってしまう。また、スナバ回路を設けるとなると、回路の増加につながる。そこで、回路の大型化を抑制するために、スイッチング周波数を高くすることによって、フィルタ回路及び、スナバ回路の小型化を図るような検討も行われている。
【０００６】
しかし、周辺回路が付加されていない電力変換器では、スイッチングによる雑音やＥＭＩ（電磁干渉）を抑制することが困難となる。さらに、従来のスナバ回路では、配線によるインダクタンスや抵抗も生じてしまう。
【０００７】
そこで、例えば、特許文献1ではブスバーでコンデンサを押圧挟持することにより、高周波ノイズを効率的に吸収する方法が提唱されている。図９に、この提唱されたコンデンサのブスバーに対する取付状態を示す。ブスバー１２と１４の間に、複数の積層されたコンデンサ２４を配置し、支持板２５ａと２５ｂでコンデンサ２４を支持し、留め具２６で固定している。また、積層されたコンデンサ２４は接続具２７ａと２７ｂで電気的、機械的に接続されたいる。
【０００８】
これにより、電力変換器を大型化することなく、スイッチングによる雑音やＥＭＩ（電磁干渉）を抑制することができる。
【特許文献１】特開２００５−３４１６４３号公報
【発明の開示】
【発明が解決しようとする課題】
【０００９】
しかしながら、上述した特許文献１による、コンデンサの機能をブスバーに持たせる構成では、ブスバーの間に誘電体を有するコンデンサを挟み込んでボルト締めしているため、コンデンサを形成する誘電体やコンデンサ固定用ボルトなどにより高コストとなり、また、固定用ボルトが必要となるのでコンデンサ部が大型化するという課題があった。
【課題を解決するための手段】
【００１０】
上記課題を解消するために、本発明の電力配線装置は、互いに所定の距離だけ離間して配置された少なくとも一対の金属板と、電流を制御するスイッチング素子と、を備え、前記一対の金属板は前記スイッチング素子を介して接続され、前記スイッチング素子近傍に位置する前記一対の金属板の一部がコンデンサとして機能することを特徴とする。
【００１１】
前記一対の金属板間の距離は前記スイッチング素子近傍のみ短いことが好ましい。
【００１２】
このように構成された電力変換器の電力配線装置においては、一対の金属板の距離をスイッチング素子近傍のみ短くなるようにしているので、部品の追加なく、かつ簡単な構成で、効率よくスイッチング素子近傍にコンデンサ機能を配置することができ、スイッチングによる雑音やＥＭＩ（電磁干渉）を発生位置近傍で確実に低減できる。さらには、スイッチング素子近傍にのみコンデンサ機能を集中させているので、スイッチング素子近傍以外の金属板の設計自由度が向上する。
【００１３】
また、前記少なくとも一対の金属板は、少なくとも一つの屈曲部を有し、前記屈曲部は、前記スイッチング素子近傍に配置されていることが好ましい。
【００１４】
このように構成された電力変換器の電力配線装置においては、スイッチング素子近傍で、一対の金属板の形状を、（平行かつ、）少なくとも一つの屈曲部としているので、スイッチング素子の投影面積内において、一対の金属板が対向している面積を広くとることができ、金属板によるコンデンサ機能を向上することができる。さらには、金属板による配線インダクタンスを低減させることができる。それにより、スイッチングによる雑音やＥＭＩ（電磁干渉）を発生位置近傍で確実に低減できる。
【００１５】
また、本発明の電力配線装置は、互いに所定の距離だけ離間して配置された少なくとも一対の金属板と、電流を制御するスイッチング素子と、を備え、前記一対の金属板は前記スイッチング素子を介して接続され、前記少なくとも一対の金属板は、前記スイッチング素子近傍以外は、、互いに対向する位置に重ならないように複数の穴を備えていることを特徴とする。
【００１６】
このように構成された電力変換器の電力配線装置においては、スイッチング素子近傍以外は、一対の金属板が交互に、かつ、互いに重ならないように穴を備えているので、スイッチング素子近傍以外の配線インダクタンスを低減し、平板形状で、コンデンサ容量を部分的に異ならせることができるため、スイッチングによる雑音やＥＭＩ（電磁干渉）を発生位置近傍で確実に低減できる。さらには、電力配線装置の低コストが図れる。
【００１７】
前記少なくとも一対の金属板は、前記スイッチング素子近傍のみ、対向する面に複数の突起が形成されていることが好ましい。
【００１８】
これにより、スイッチング素子の投影面積内において、一対の金属板が対向している面積を広くとることができ、金属板によるコンデンサ機能を向上することができる。それにより、スイッチングによる雑音やＥＭＩ（電磁干渉）を発生位置近傍で確実に低減できる。
【００１９】
また、前記少なくとも一対の金属板は、前記スイッチング素子近傍のみ、対向する面積が広くなっていることが好ましい。
【００２０】
このように構成された電力変換器の電力配線装置においては、スイッチング素子近傍は、一対の金属板の対向する面積が広くなっているので、スイッチング素子近傍のコンデンサ容量を部分的に異ならせることができる。ゆえに、スイッチングによる雑音やＥＭＩ（電磁干渉）を発生位置近傍で確実に低減できる。さらには、電力配線装置の低コストが図れる。
【００２１】
また、前記少なくとも一対の金属板間に少なくとも一つの誘電体が挟持されていることが好ましい。
【００２２】
このように構成された電力変換器の電力配線装置においては、スイッチング素子近傍とその箇所以外で、異なる誘電体を用いることができるので、スイッチング素子近傍のコンデンサ容量を部分的に異ならせることができる。ゆえに、スイッチングによる雑音やＥＭＩ（電磁干渉）を発生位置近傍で確実に低減できる。
【００２３】
前記少なくとも一対の金属板は、絶縁材料でコーティングされていることが好ましい。
【００２４】
このように構成された電力変換器の電力配線装置においては、スイッチング素子近傍に、コンデンサ機能を配置することができる。さらに、金属板が絶縁材料によりコーティングされているので、金属板で構成されるコンデンサ容量を比較的大きくできる。ゆえに、スイッチングによる雑音やＥＭＩ（電磁干渉）を発生位置近傍で確実に低減できる。
【００２５】
また、前記少なくとも一対の金属板の間に、前記スイッチング素子が配置され、かつ前記一対の金属板に直接接合されていることが好ましい。
【００２６】
このように構成された電力変換器の電力配線装置においては、一対の金属板が、スイッチング素子に直接接合されているので、スイッチング素子で発生する熱を金属板を介して、放熱することができる。
【００２７】
また、前記少なくとも一対の金属板と、前記少なくとも１つのスイッチング素子は、モジュール化されていることが好ましい。
【００２８】
このように構成された電力変換器の電力配線装置においては、金属板とスイッチング素子が例えば絶縁性樹脂でモールドされているので、スイッチング素子近傍の金属板の距離を極限まで短くすることができる。また、モールドした樹脂が金属板の固定も兼ねる。
【００２９】
ゆえに、スイッチング素子近傍のコンデンサ機能を向上させつつ、高信頼性の電力配線装置を実現できる。
【発明の効果】
【００３０】
このように、本発明の電力変換器の電力配線装置においては、一対の金属板の形状を工夫することにより、効率よくスイッチング素子近傍にのみ大容量のコンデンサ機能を持たせることができる。したがって、追加部品がなく、サイズは小型のままで、金属板形状で容易にコンデンサ機能を向上させ、スイッチングによる雑音やＥＭＩ（電磁干渉）を十分に抑制できる。
【発明を実施するための最良の形態】
【００３１】
以下、本発明の各実施形態を図面を用いて説明する。
【００３２】
（第１実施形態）
図１は本発明の第１実施形態に係わる電力変換器の電力配線装置の全体構成を示す斜視図であり、図２はその等価回路図である。
【００３３】
図１において、スイッチング素子１０にはドレイン端子１０１、ソース端子１０２及び、ゲート端子１０３が任意に配置されている。また、金属板１１及び１２は、ラミネート状になるように配置され、かつ互いの距離が、スイッチング素子１０近傍のみで短くなるように配置されている。さらに、一対の金属板１１、１２のうち、一方の金属板１１のスイッチング素子接続部１１０がスイッチング素子１０のドレイン端子１０１に配線経路が極力短くなるように接続され、他方の金属板１２のスイッチング素子接続部１２０がスイッチング素子１０のソース端子１０２に配線経路が極力短くなるように接続されている（接続状態は図示しない）。これらの一対の金属板１１、１２は、スイッチング素子１０を介して電気的に接続されている。
【００３４】
ここで、スイッチング素子接続部１１０と１２０は、金属板１１、１２において、距離が短くなるように配置されている。このようにすることで、スイッチング素子１０近傍に、金属板１１のスイッチング素子接続部１１０と、金属板１２のスイッチング素子１２０との間で構成されるコンデンサ２０を配置することができる。
【００３５】
図２に示す電力変換器の電力配線装置の等価回路において、スイッチング素子１０のドレイン端子１０ａとソース端子１０ｂ間に、フライホイールダイオード３０が逆並列接続されている。また、前述したコンデンサ２０が、金属板１１及び１２各々との間に配線インダクタンスＬ１及びＬ２を介して接続されている。
【００３６】
このような回路構成を有する電力変換器において、金属板１１からスイッチング素子１０を介して金属板１２へ電力を供給する状態において、ゲート端子１０３へ駆動信号を印加すると、スイッチング素子１０はターンオン・ターンオフを行う。しかし、ターンオン時には流れる電流が急激に増大し、ターンオフ時にはスイッチング素子１０のドレイン端子とソース端子間にサージ電圧が発生してしまう。これにより、雑音やＥＭＩ（電磁干渉）が発生するが、本発明は、上記構成とすることで、コンデンサ２０にてターンオフ時におけるサージ電圧が抑制される。さらに、金属板１１及び１２と、コンデンサ２０を接続するための配線インダクタンスＬ１及びＬ２を極力短くできるため、効率よくサージ電圧を抑制することが可能となる。また、フィルムコンデンサ及びセラミックコンデンサを別部品をドレイン端子とソース端子間に接続する場合においては、各々のコンデンサにおける温度変化及び経時変化なども考慮する必要があるが、本発明においては、そのようなことを考慮する必要がない。
【００３７】
ここで、金属板１１及び１２を絶縁材料などでコーティングすることで、金属板１１及び１２のスイッチング素子接続部１１０と１２０の距離を空気中より短くできるので、コンデンサ容量を大きくすることが可能となり、さらなる効果が期待できる。
【００３８】
（第２実施形態）
図３は本発明の第２実施形態に係わる電力変換器の電力配線装置の全体構成を示す斜視図である。
【００３９】
図３において、スイッチング素子１０ａにはドレイン端子１０１ａ、ソース端子１０２ａ及び、ゲート端子１０３ａが任意に配置されている。また、金属板１１ａ及び１２ａは、ラミネート状になるように配置され、かつ金属板１１ａ及び１２ａの対向する面積が局所的に広くなるように各々形成されている。さらに、一対の金属板１１ａ、１２ａのうち、一方の金属板１１ａのスイッチング素子接続部１１０ａがスイッチング素子１０ａのドレイン端子１０１ａに配線経路が極力短くなるように接続され、他方の金属板１２ａのスイッチング素子接続部１２０ａがスイッチング素子１０ａのソース端子１０２ａに配線経路が極力短くなるように接続されている（接続状態は図示しない）。これらの一対の金属板１１ａ、１２ａは、スイッチング素子１０を介して電気的に接続されている。
【００４０】
ここで、スイッチング素子接続部１１０ａと１２０ａは、スイッチング素子１０の近傍になるように構成されている。
【００４１】
このようにすることで、スイッチング素子１０近傍に、金属板１１ａのスイッチング素子接続部１１０ａと、金属板１２ａのスイッチング素子１２０ａとの間で構成されるコンデンサ２０ａを配置できる。
【００４２】
よって本発明は、上記構成とすることで、コンデンサ２０ａにてターンオフ時におけるサージ電圧が抑制される。さらに、金属板１１ａ及び１２ａと、コンデンサ２０ａを接続するための配線インダクタンスＬ１及びＬ２を極力短くできるため、効率よくサージ電圧を抑制することが可能となる。また、フィルムコンデンサ及びセラミックコンデンサを別部品をドレイン端子とソース端子間に接続する場合においては、各々のコンデンサにおける温度変化及び経時変化なども考慮する必要があるが、本発明においては、そのようなことを考慮する必要がない。
【００４３】
さらには、単なる平板で金属板１１ａ及び１２ａを形成することができるため、電力配線装置の低コスト化が図れる。
【００４４】
また、スイッチング素子を並列使用する場合などには、スイッチング素子部の平面配置する面積が単独使用より広くなるため、特に有効である。
【００４５】
（第３実施形態）
図４は本発明の第３実施形態に係わる電力変換器の電力配線装置において、金属板のスイッチング素子接続部が構成しているコンデンサ２０ｂを抽出して示す図である。このコンデンサ２０ｂ以外の構成は、図１に示す第１実施形態に係わる電力変換器の電力配線装置とほぼ同じであるので詳細説明を省略する。
【００４６】
この第３実施形態に係わる電力変換器の電力配線装置のコンデンサ２０ｂにおいては、スイッチング素子接続部１１０ｂ及び１２０ｂにより、構成されている。また、スイッチング素子接続部１１０ｂ及び１２０ｂは、少なくとも一つの屈曲部１０００（図４では９つの屈曲部）を備え、かつスイッチング素子接続部１１０ｂと１２０ｂ互いの距離が等しくなるように並行配置されている。
【００４７】
このように構成された第３実施形態のコンデンサ２０ｂにおいては、スイッチング素子接続部１１０ｂと１２０ｂの対向する単位あたり面積が、スイッチング素子の近傍において広く構成できるため、コンデンサ容量を大きくすることができる。したがって、スイッチング素子の近傍に、比較的容量の大きいコンデンサを配置することができるため、装置の小型化が図れる。
【００４８】
なお、スイッチング素子接続部１１０ｂ、１２０ｂの互いに対向する面側に、多数の突起形状を備えることでも、屈曲部１０００と同様な効果が得られる。
【００４９】
また、屈曲部１０００及び突起形状の先端部は、尖らずに滑らかな形状にすることが望ましい。そうすることにより、不要なスパークなどを抑制でき、信頼性の向上が図れる。
【００５０】
（第４実施形態）
図５は本発明の第４実施形態に係わる電力変換器の電力配線装置の全体構成を示す斜視図である。ただし、第１の実施形態に示したスイッチング素子１０を備えているが、このスイッチング素子１０については、図示を省略している。
【００５１】
この第４実施形態に係わる電力変換器の電力配線装置においては、金属板１１ｂ、１２ｂで構成され、金属板１１ｂと１２ｂは平行配置されている。ここで、スイッチング素子の近傍以外は、配線金属板１１０ｃ及び１２０ｃにより、構成されている。また、配線金属板１１０ｃ及び１２０ｃは、少なくとも一つの貫通穴２０００を備え、こららは互いに重ならないように配置され、かつ配線金属板１１０ｃと１２０ｃは互いの距離が等しくなるように並行配置されている。ここで、金属板１１０ｃ、１２０ｃは、スイッチング素子近傍の金属板１１０ｄ、１２０ｄと、各々電気的及び機械的に接続されている。
【００５２】
平行配置される一対の金属板１１０ｃ、１２０ｃは、対向する面積や互いの距離に依存して、コンデンサ容量をもつ。しかしながら、先に説明したように、スイッチング素子のターンオフ時に発生するサージ電圧は、スイッチング素子近傍に任意のコンデンサを配置することで、抑制される。
【００５３】
ここで、第４実施形態の配線金属板１１０ｃと１２０ｃにおいては、互いに重ならないように貫通穴を形成されているので、ラミネート形状による配線インダクタンス低減効果を保ちつつ、金属板１１０ｃと１２０ｃで構成されるコンデンサ容量を減らすことができる。したがって、スイッチング素子近傍以外に配線金属板１１０ｃと１２０ｃを用い、かつスイッチング素子近傍には、貫通穴などを形成していない１１０ｄ、１２０ｄを配置することで、スイッチング素子近傍にのみ、サージ電圧抑制効果のあるコンデンサ機能を配置できる。
【００５４】
（第５実施形態）
図６は本発明の第５実施形態に係わる電力変換器の電力配線装置における図である。一対の金属板１１ｃ、１２ｃの間に少なくとも一つの誘電体を配置する以外は、図１に示す第１実施形態に係わる電力変換器の電力配線装置と同じであるので詳細説明を省略する。
【００５５】
この第５実施形態に係わる電力変換器の電力配線装置においては、一対の金属板１１ｃ、１２ｃの間に、誘電体４０、４１ａ及び４１ｂを配置している。それ以外の構成は、図１に示す構成と同じである。これらの一対の金属板１１ｃ、１２ｃは、スイッチング素子１０を介して電気的に接続されている。
【００５６】
また、誘電体４０と、４１ａ及び４１ｂは誘電率が異なっており、誘電体４０は４１ａ及び４０ｂよりも高誘電率である。さらに、高誘電率である誘電体４０を、スイッチング素子接続部１１０と１２０の間に配置し、低誘電率である誘電体４１ａ及び４０ｂを、スイッチング素子接続部以外に配置する。
【００５７】
このように構成された第５実施形態においては、スイッチング素子接続部１１０と１２０で構成されるコンデンサ容量を、誘電体が配置されていない場合よりも大きくすることができる。したがって、スイッチング素子近傍に、比較的容量の大きいコンデンサを配置することができるため、装置の小型化が図れる。
【００５８】
（第６実施形態）
図７は本発明の第６実施形態に係わる電力変換器の電力配線装置における図である。一対の金属板１１ｄ、１２ｄを等間隔距離で配置し、この間にスイッチング素子１０ａを直接接合で配置するものであり、その他については図１に示す第１実施形態に係わる電力変換器の電力配線装置と同様であるので詳細説明を省略する。
【００５９】
この第６実施形態に係わる電力変換器の電力配線装置においては、一対の金属板１１ｄ、１２ｄの間に、スイッチング素子１０ａを配置し、かつ金属板に対して直接接合している。
【００６０】
このように構成された第６実施形態においては、スイッチング素子１０ａと、金属板が構成するコンデンサとの間の配線インダクタンスを最大限小さくすることができ、さらには、スイッチング素子１０ａで発生する熱を金属板により放熱できる。したがって、上記した各実施形態と同様の効果が得られると同時に、スイッチング素子が発生する熱を効率よく放熱でき、装置の小型化が図れる。
【００６１】
（第７実施形態）
本発明の第７実施形態に係わる電力変換器のモジュールは、電力配線装置とスイッチング素子をモジュール化したことを特徴とする。それ以外の構成は、図７に示す第６実施形態に係わる電力変換器の電力配線装置とほぼ同じであるので詳細説明を省略する。
【００６２】
図８は、本発明の第７実施形態に係わる電力変換器のモジュール２００の構成図である。
【００６３】
このように構成された第７実施形態においては、少なくとも一つのスイッチング素子１０ａと少なくとも一対の金属板１１ｄ、１２ｄが、絶縁樹脂１３０などでモジュール化されており、コンデンサ機能を内蔵した半導体モジュールを構成している。したがって、コンデンサを構成する金属板間に、モジュール化するための絶縁樹脂を配置することができる。さらに、上記した各実施形態と同様の効果が得られ、さらには、金属板の固定が強固なものになり、信頼性の向上が図れる。
【００６４】
以上に述べた各実施形態においては、金属板は例えば銅で構成することが可能であるが、アルミもしくはそれらの合金などの材料であっても構わない。
【００６５】
また、スイッチング素子は、シリコンやＳｉＣ（炭化珪素）、ＧａＮ（窒化ガリウム）材料などで構成されるＩＧＢＴ及びＭＯＳＦＥＴで実現することができる。
【００６６】
また、複数相のインバータにおいて適用する場合には、スイッチング素子ごとに任意のコンデンサ容量となるように、金属板構成を設計すれば良い。
【産業上の利用可能性】
【００６７】
本発明の電力配線装置を電力変換器に用いることにより、低コストで、小型かつ高信頼性のコンデンサ機能を備えた金属板を提供することができ、スイッチング素子の高速スイッチング動作により発生するサージ電圧を大幅に低減することが可能となるため、ハイブリッド電気自動車及び電気自動車の車載電源（インバータ、コンバータなど）、産業用ロボット及び家庭用ロボット、エレベータの電源を含めたあらゆる電源、さらには高速回転が要求されるモータ及びジェネレータ用の電力変換器、等々に有用である。
【図面の簡単な説明】
【００６８】
【図１】本発明の第１実施形態に係わる電力変換器の電力配線装置の全体構成を示す斜視図
【図２】同実施形態の電力変換器のブスバー装置の等価回路図
【図３】本発明の第２実施形態に係わる電力変換器の電力配線装置の全体構成を示す斜視図
【図４】本発明の第３実施形態に係わる電力変換器の電力配線装置において、金属板のスイッチング素子接続部が構成しているコンデンサを示す図
【図５】本発明の第４実施形態に係わる電力変換器の電力配線装置において、金属板のスイッチング素子接続部以外が構成している金属板を示す図
【図６】本発明の第５実施形態に係わる電力変換器の電力配線装置の全体構成を示す斜視図
【図７】本発明の第６実施形態に係わる電力変換器の電力配線装置の全体構成を示す斜視図
【図８】本発明の第７実施形態に係わる電力変換器のモジュールの構成図
【図９】従来の電力変換器を示す図
【符号の説明】
【００６９】
１０，１０ａ    スイッチング素子
１１，１２，１１ａ，１２ａ，１１ｂ，１２ｂ，１１ｃ，１２ｃ，１１ｄ，１２ｄ    金属板
２０，２０ａ，２０ｂ，２０ｃ    コンデンサ
３０    フライホイールダイオード
４０，４１ａ，４１ｂ    誘電体
１０１    ドレイン端子
１０２    ソース端子
１０３    ゲート端子
１１０，１１０ａ，１１０ｂ，１１０ｃ，１２０，１２０ａ，１２０ｂ，１２０ｃ    スイッチング素子接続部
２００    半導体モジュール
１０００    屈曲部
２０００    貫通穴
Ｌ１，Ｌ２    配線インダクタンス
【図１】
2009077470.tif 000003
【図２】
2009077470.tif 000004
【図３】
2009077470.tif 000005
【図４】
2009077470.tif 000006
【図５】
2009077470.tif 000007
【図６】
2009077470.tif 000008
【図７】
2009077470.tif 000009
【図８】
2009077470.tif 000010
【図９】
2009077470.tif 000011